(57)【要約】【課題】植物栽培容器内に多量の水を蓄え、貯水水位を目視でき、植物に合わせて排水水位を自由高に設定できる余剰水排水具を持つ貯水式植物栽培器具の提供。【解決手段】容器の底に泥よけフィルターで貯水空間を作る。該貯水空間内の底か底に近い側面に止水栓で水をためられる排水孔を一箇所設けて貯水式植物栽培容器とする。別に、可塑性を持つパイプと透光性を持つ柔軟なホースを接続し中に可塑性を持つ線材を通す。該パイプを折り曲げて余剰水排水具とする。そのパイプ部分を孔開き栓を使って培養土を入れた該植物栽培容器の排水孔に挿すか、該貯水式植物栽培容器の排水孔に導水管を固着し、培養土を入れ、該パイプを挿して水をためる。該ホースの先端を自由高に設定して余剰水を排水する。透光性のホースの使用で水位を目視して水やり日を予測できる。【選択図】図２
2011254763.tif 000002
【特許請求の範囲】
【請求項１】
貯水式植物栽培容器（１，21，31，41，51，61，71）と水位可変余剰水排水具（以下、余剰水排水具と記す。）を、穴開き栓（９）、又は該貯水式植物栽培容器の排水孔に固着した弾力性を持つ導水管（13）を使って一体とする貯水式植物栽培器具。
【請求項２】
水分を通さない容器内の底に、培養土（4）の一部が接する形で、水と空気および植物の根は通すが培養土を通さない泥よけフィルター（22，32）で貯水空間（23，33）を作る。該貯水空間内の該容器の底か底近くの側面に、止水栓で水をためられる大きさの排水孔（25，35）を一箇所設けて貯水式植物栽培容器（21，31）とする、請求項１記載の貯水式植物栽培器具。
【請求項３】
水分を通さない容器内の底に、水と空気および植物の根は通すが培養土を通さない泥よけフィルター（42，52）を間に挟んで培養土が隣接する形で貯水空間（43，53）を作る。該貯水空間内の該容器の底か底近くの側面に、止水栓で水をためられる大きさの排水孔（45，55）を一箇所設けて貯水式植物栽培容器（41，51）とする、請求項１記載の貯水式植物栽培器具。
【請求項４】
水分を通さない容器内の底より、水と空気および植物の根は通すが培養土を通さない泥よけフィルター（62）で培養土を持ち上げて貯水空間（63）を作る。該貯水空間内の該容器の底か底近くの側面に止水栓で水をためられる大きさの排水孔（65）を一箇所設けて貯水式植物栽培容器（61）とする、請求項１記載の貯水式植物栽培器具。
【請求項５】
水分を通さない容器の底か底近くの側面に、止水栓で水をためられる大きさの排水孔（75）を一箇所設けて貯水式植物栽培容器（71）とする、請求項１記載の貯水式植物栽培器具。
【請求項６】
請求項２と３の培養土が、貯水式植物栽培容器の底に密着するか、もしくは泥よけフィルターを間に挟んで隣接するのは一箇所および複数箇所である貯水式植物栽培容器を使う、請求項１記載の貯水式植物栽培器具。
【請求項７】
可塑性を持つパイプ（6）と透光性を持つ柔軟なホース（7）を接続する。可塑性を持つ線材（8）の一端をらせん状に巻き、該らせんが該パイプの位置に重なるように、該線材を該パイプとホースを接続した中に通す。該パイプの該ホースに近い部分を折り曲げて変形させ線材の脱落を防止した余剰水排水具とする。該余剰水排水具を使う請求項１記載の貯水式植物栽培器具。
【請求項８】
フレキシブルなストロー状の、透光性と、蛇腹状の可塑性を一部に持つパイプ（20）を余剰水排水具として使う請求項１記載の貯水式植物栽培器具。
【請求項９】
孔開き栓（９）に、請求孔７か８記載の余剰水排水具のパイプ部分を挿し、栓付き余剰水排水具とする。これを使う請求項１記載の貯水式植物栽培器具。
【請求項１０】
請求孔９記載の、栓付き余剰水排水具を、請求項２から６記載の貯水式植物栽培容器の排水孔の外側より挿して接続した請求項１記載の貯水式植物栽培器具。
【請求項１１】
請求項２から６記載の貯水式植物栽培容器の排水孔に、水を漏らさずに内部の水を外に導き出す弾力性を持つ導水管（13）を固着する。請求項７又は８記載の余剰水排水具のパイプ部分を該植物栽培容器の外側より導水管に挿し、該貯水式植物栽培容器と該余剰水排水具を接続する請求項１記載の貯水式植物栽培器具。
【請求項１２】
請求孔10と11記載の、余剰水排水具のホース先端の開口部（14）を自由高に設定し余剰水排水水位（15）とする請求項１記載の貯水式植物栽培器具。
【発明の詳細な説明】
【技術分野】
【０００１】
本発明は、貯水式植物栽培容器と余剰水排水具に関するものである。
【背景技術】
【０００２】
植木鉢やプランターに植えられた植物への水やりの手間を省くために、植物栽培容器内に水をためる方法や、貯水水位を調節する方法が考案されている。（特許文献１参照。）
【０００３】
大変参考になる良い方法だが、この方法（図１）だと積極的に貯水空間を作っておらず、培養土と共に水をためているので水の絶対量は少なく水やり日の間隔は短い。水やり時や屋外にて降雨時、余剰水自動排水機能がないので容器内の水位を手動で調節しなければならない。また、容器内にパイプを差し込む孔の漏水防止方法が不明である。
【先行技術文献】
【特許文献】
【０００４】
【特許文献１】特許公開2003−143982号広報  水量調節可能の鉢、プランター等。
【発明の概要】
【発明が解決しようとする課題】
【０００５】
植木鉢やプランターに植えられた植物が水枯れによって萎れているのを見ると多くの方々は救ってあげたい気持ちになると思う。そこで植物栽培容器内に水をためる貯水式植物栽培を行う。水やり日の間隔を長くするため、該植物栽培容器内に多くの水をためられること。また発芽点が水没すると枯れる植物や多湿が苦手な植物があり、貯水水位を季節や植物に応じて自由に変化させたい。水やりや降雨時に、余剰水は自動的に排水させたい。水やり日を予測するため貯水水位を目視できること。植え替え時や、厳寒期に該植物栽培容器内の水が凍結すると容器を破損する恐れがあり簡単に排水したい。
【課題を解決するための手段】
【０００６】
貯水式植物栽培容器と水位可変余剰水排水具（以下、余剰水排水具と記す。）を、孔開き栓か、該貯水式植物栽培容器の排水孔に固着した導水管を使って一体とする貯水式植物栽培器具を提供する。
【０００７】
水を通さない容器内の底に、水と空気、および植物の根は通すが培養土を通さない泥よけフィルターで貯水空間を作り、該貯水空間内の該容器の底か底に近い側面に止水栓で水をためられる排水孔を一箇所設け、貯水式植物栽培容器とする。
【０００８】
水を通さない容器の底か底近くの側面に、止水栓で水をためられる大きさの排水孔を一箇所設ける。この中に、植物を植えた、止水栓で水をためられない排水孔を底部に持つ植物栽培容器を入れ貯水式植物栽培容器とする。
【０００９】
次に、可塑性を持つパイプと透光性を持つ柔軟なホースを接続する。別に、可塑性を持つ線材の一端をらせん状に巻き、該らせんが該パイプの位置に重なるように、該パイプとホースを接続した中に通す。該パイプのホースに近い部分を折り曲げて変形させ線材の脱落を防ぎ、余剰水排水具とする。
【００１０】
孔開き栓に、上記余剰水排水具のパイプ部分を挿し、栓付き余剰水排水具とする。これを貯水式植物栽培容器の排水孔の外側より挿して接続し貯水式植物栽培器具とする。
【００１１】
上記孔開き栓に替わり、貯水式植物栽培容器の排水孔に、水を漏らさずに内部の水を外に導き出せる弾力性を持つ導水管を固着する。その導水管の孔に、該貯水式植物栽培容器の外側より余剰水排水具のパイプ部分を挿し、固着された導水管を使う貯水式植物栽培器具とする。
【００１２】
植物の種類や季節に合わせ、上記余剰水排水具のホース先端の開口部を自由高に設定して排水水位とし、余剰水は該開口部より自動的に排水する。透光性のホースの使用で貯水水位が目視でき水やり日を予測できる。
【００１３】
排水は、孔開き栓を抜くか余剰水排水具のパイプを抜くと早く排水できる。
【発明の効果】
【００１４】
上記貯水式植物栽培器具で水やり日の間隔が長くなった。
【００１５】
余剰水排水水位が自由に設定できるので、長雨で発芽点が水没すると枯れる植物や多湿が苦手な植物も栽培できる。
【００１６】
水やりや降雨により、新鮮な水に入れ替わる。
【００１７】
透光性のホースの使用で、貯水水位を目視して水やり日が予測でき、水切れ予防に効果がある。
【００１８】
貯水式植物栽培器具に植えられた植物は、やがて根の先端が貯水空間に入り水耕栽培状態となり大きく育つ。
【００１９】
排水時、容器底部に空間があり培養土の水切れが早い。
【００２０】
器具の製造方法が簡単である。
【００２１】
使用方法が簡単で水の管理がたやすい。
【図面の簡単な説明】
【００２２】
【図１】上記先行技術文献の実施図。
【図２】貯水式植物栽培を実施状態の部分断面図。
【図３】貯水式植物栽培容器と泥よけフィルター、および排水孔の位置の概略図。
【図４】貯水式植物栽培容器と泥よけフィルター、および排水孔の位置の概略図。
【図５】貯水式植物栽培容器と泥よけフィルター、および排水孔の位置の概略図。
【図６】貯水式植物栽培容器と泥よけフィルター、および排水孔の位置の概略図。
【図７】貯水式植物栽培容器と泥よけフィルター、および排水孔の位置の概略図。
【図８】止水栓で水をためられる貯水式植物栽培容器の中に、植物を植えた、止水栓で水をためられない植物栽培容器を入れた図。
【図９】可塑性を持つパイプと透光性を持つ柔軟なホース、および一端をらせん状に巻いた可塑性を持つ線材を使って余剰水排水具を組み立てる図。
【図１０】透光性で、一部に蛇腹状の可塑性を持つパイプの図。
【図１１】孔開き栓に、前記ホースを使った余剰水排水具を挿し、栓付き余剰水排水具とした図。
【図１２】貯水式植物栽培容器の排水孔に固着した導水管の、一実施の形態を示す断面図。
【発明を実施するための形態】
【００２３】
本発明は、容器内に貯水空間を作り多量の水をためて水やり日の間隔を長くできる貯水式植物栽培容器と、植物の種類や季節により排水水位を自由高に設定できる水位可変余剰水排水具を、孔開き栓か該貯水式植物栽培容器に固着された導水管を使って一体にする貯水式植物栽培器具である。
【００２４】
ここで使う植物栽培容器は水を通さない材質である。
【００２５】
泥よけフィルターは、水と空気および植物の根は通すが培養土を通さない。
【００２６】
止水栓は孔開き栓と同じ外径である。
【００２７】
排水孔は止水栓で水をためられる大きさである。
【００２８】
植物栽培容器と泥よけフィルターの形は一例であり、植物栽培容器の底に泥よけフィルターで貯水空間を作り、該貯水空間内の該植物栽培容器の底か底に近い側面に排水孔を作るものである。
【００２９】
培養土が植物栽培容器の底に接するか泥よけフィルターを間に挟んで隣接するのは一箇所および複数箇所である。
【実施例１】
【００３０】
図２部分断面図は、本発明である貯水式植物栽培器具の一実施例である。使用方法は、貯水式植物栽培容器1に泥よけフィルター2を装着し培養土4を入れる。植物88を植えて水を注ぎゴミと汚れを排水孔5より排出させる。該貯水式植物栽培容器の外側より該排水孔5に栓付き余剰水排水具の孔開き栓９部分を挿し、ホースの先端の開口部14を自由高に設定し水を注いで水をためる。余剰水は該ホースの先端より自動的に排出される。透光性を持つ該ホースにより貯水水位が目視でき水やり日が予測できる。水は常に排水水位を保たず、水が無くなってから注水すれば、培養土の中に空気が送られる。植物の根はやがて貯水空間に入り水耕栽培状態となる。
【００３１】
図３斜視図は、筒型の容器の底に、椀を伏せた形状の泥よけフィルター22で貯水空間23を作る。該貯水空間内の該植物栽培容器の底に排水孔25を一箇所設けた貯水式植物栽培容器21である。
【００３２】
図４斜視図は、容器の長辺に沿った中央線を中心に逆U字形で、長辺に沿って細長く形成した泥よけフィルター32を使って貯水空間33を作る。該貯水空間内の該容器の底に近い側面に排水孔35を一箇所設けた貯水式植物栽培容器31である。
【００３３】
図５斜視図は、筒型の容器にカップ型に形成した泥よけフィルター42で該容器の側面と底に密着する形に貯水空間43を作る。該貯水空間内の該容器の底に近い側面に排水孔45を一箇所設けた貯水式植物栽培容器41である。
【００３４】
図６斜視図は、長方形の容器に、上方開きの部分台形錐で上縁が該容器の側面に密着し中央部が該容器の底に密着する形に形成した泥よけフィルター52で貯水空間53を作る。該貯水空間内の該容器の底に近い側面に排水孔55を一箇所設けた貯水式植物栽培容器51である。
【００３５】
図７斜視図は、容器内の底より、水平か水平に順ずる形に泥よけフィルター62で培養土を持ち上げて貯水空間63を作る。該貯水空間内の該容器の底か底近くの側面に排水孔65を一箇所設ける。泥よけフィルター62以上の水位で培養土に水が浸透する。泥よけフィルター以下の水位では、培養土の底部が容器と水によって密閉される。水の表面から蒸発する水分が培養土の底部にわずかながら水分を補給するので培養土の乾燥が緩やかである。植物の種や種芋、および球根の表面が水に直接覆われないので発芽できる。植えられた植物は根が伸びて水の中に入り水耕栽培状態となる貯水式植物栽培容器61である。
【００３６】
図８断面図は、容器の底か底近くの側面に排水孔75を一箇所設け、この中に、植物88を植えた、水をためられない排水孔17を底部に持つ植物栽培容器18を入れ貯水式植物栽培容器71としたものである。この貯水式植物栽培容器71に水をためれば蚊が発生する恐れがあり、該植物栽培容器と該貯水式植物栽培容器の間に蚊の侵入を防ぐ障害物73を設けなければならない。
【００３７】
図９概略図は、水位可変余剰水排水具の組立て手順である。図８(a)は、可塑性を持つパイプ6と、透光性を持つ柔軟なホース7、および一端をらせん状に巻いた可塑性を持つ線材８。図８(b)は該可塑性を持つパイプ6と該透光性を持つ柔軟なホース7を接続し、この中に一端をらせん状に巻いた可塑性を持つ線材8を、該らせんが該パイプの位置に重なるように通した状態。図８(c)は、該パイプのホースに近い部分を折り曲げて変形させ該線材の脱落を防止して水位可変余剰水排水具とする。ホースの中に可塑性を持つ線材が入っているので、ホースは曲げた形を保持できる。余剰水排水具として使用中、透光性のホース7の内壁にコケと汚れが付くが、該ホース内部に線材８が入っているので水を流しながらホースを揉めばコケと汚れが外れる。
【００３８】
図10斜視図は、フレキシブルなストロー状の、透光性と、蛇腹状の可塑性を一部に持つパイプ20を余剰水排水具として使っても良いが、パイプ内部に付くコケで透光性が失われるので使い捨てとなる。
【００３９】
図11斜視図は、孔開き栓9に上記ホースを使った余剰水排水具のパイプ部分を挿し、栓付き余剰水排水具とした図。
【００４０】
図12断面図は、貯水式植物栽培容器の排水孔に、弾力性を持つ孔開きボルト10を漏水防止パッキング11を間に挟んで挿し、ナット12を締めて固着した導水管13の図。該導水管13を使えば孔開き栓９が外れて漏水する心配が無い。上記余剰水排水具（００３６又は００３７）のパイプ部分6を挿して、固着された導水管使う余剰水排水具として使用する。
【００４１】
余剰水排水具の線材8の露出による危険防止のため、上記パイプとホースを接続した物より短くする。
【００４２】
余剰水排水具のホースの長さは貯水式植物栽培容器の排水孔より培養土の表面までの長さがあればよい。
【００４３】
培養土内の液体の成分濃度が高くなると浸透圧により植物が根腐れを起こす。
【００４４】
真夏の炎天下でも、培養土に含まれる水分が蒸発するとき気化熱を奪って温度が下がるので植物は育つ。また真夏の炎天下に水やりしても植物は枯れない。
【００４５】
固定された導水管の内径は、前記余剰水排水具のパイプ部分を挿して水を漏らさない大きさとする。
【００４６】
前記貯水式植物栽培容器の排水孔部分は、孔開き栓を挿して水を漏らさずしっかり収まる肉厚が良い。
【産業上の利用可能性】
【００４７】
貯水式植物栽培器具に植えられた植物の大きさによるが、夏の炎天下で３日間以上の水やり間隔日の長い植物栽培が実施でき、毎日の水やりから開放される。十分に水をためておけば会社等の３連休でも植えられた植物を枯らす事は無い。
【００４８】
透光性のホースを使うので貯水量が分かり水やり日を予測できる。
【００４９】
真夏の炎天下でも水やりができる。
【００５０】
器具の製造が簡単で安価に生産できる。
【００５１】
水の管理がたやすい。
【００５２】
貯水式植物栽培器具として、新たに貯水式植物栽培容器、泥よけフィルター、及び余剰水排水具が製造される。
【符号の説明】
【００５３】
１，21，31，41，51，61，71  貯水式植物栽培容器
２，22，32，42，52，62，72  泥よけフィルター
３，23，33，43，53，63  貯水空間
４  培養土
５，25，35，45，55，65，75  排水孔
６  可塑性を持つパイプ
７  透光性を持つ柔軟なホース
８  可塑性を持つ線材
９  孔開き栓
10  弾力性を持つ穴あきボルト
11  漏水防止パッキング
12  ナット
13  固着された弾力性を持つ導水管
14  ホース先端の開口部
15  排水水位
16  貯水水位
17  水抜き孔
18  止水栓で水をためられない植物栽培容器
19  水
20  透光性で、一部に蛇腹状の可塑性を持つパイプ
73  耐水性の、蚊の進入を防ぐ障害物  
88  植物
【図１】
2011254763.tif 000003
【図２】
2011254763.tif 000004
【図３】
2011254763.tif 000005
【図４】
2011254763.tif 000006
【図５】
2011254763.tif 000007
【図６】
2011254763.tif 000008
【図７】
2011254763.tif 000009
【図８】
2011254763.tif 000010
【図９】
2011254763.tif 000011
【図１０】
2011254763.tif 000012
【図１１】
2011254763.tif 000013
【図１２】
2011254763.tif 000014